(57)【要約】
【課題】  閉傘時に傘布と骨組構造を巻回保持するための結束用帯片を設けた折畳み洋傘において、開傘時に該結束用帯片が傘布から垂れ下がらずに傘布の内側面に保持される構成を提供する。
【解決手段】  開傘時に下向きとなる傘布の内側面であって隣り合う先親骨の間に位置する周縁部に結束用帯片の基端を固着し、閉傘時に基親骨に対して先親骨を外側に折返した状態で傘布と骨組構造を結束用帯片により巻回保持し、該結束用帯片の先端近傍部に設けた係止手段を該結束用帯片の基端近傍部に設けた被係止手段に係脱自在に係止するように構成した折畳み洋傘において、開傘時に結束用帯片の係止手段を係脱自在に係止可能とする第二の被係止手段を設けたシート片を傘布の内側面に前記縫目を介して縫着し、結束用帯片の係止手段を第二の被係止手段に係止することにより、該結束用帯片を傘布の内側面に重ね合わせ状態で保持する構成である。
【選択図】  図１
0003101406.tif 000002
【実用新案登録請求の範囲】
【請求項１】
相互に屈折自在に連結された基親骨(4a)と先親骨(4b)から成る親骨(4)を上ロクロ(2)に対して放射状に枢結すると共に、下ロクロ(3)に枢結された受骨(5)を基親骨(4a)に連結し、下ロクロ(3)の上昇により親骨(4)を開傘せしめ、下ロクロ(3)の下降により親骨(4)を閉傘せしめるように構成した骨組構造と、各親骨(4)に沿って縫目を有する布片(6a)から成り親骨(4)の上に張設された傘布(6)とを備えており、
前記傘布(6)は、開傘時に下向きとなる内側面であって隣り合う先親骨(4b)の間に位置する周縁部(6b)に結束用帯片(7)の基端(7a)を固着しており、閉傘時に基親骨(4a)に対して先親骨(4b)を外側に折返した状態で傘布と骨組構造を結束用帯片(7)により巻回保持し、該結束用帯片(7)の先端近傍部に設けた係止手段(9)を該結束用帯片(7)の基端近傍部に設けた被係止手段(8)に係脱自在に係止するように構成した折畳み洋傘において、
開傘時に結束用帯片(7)の係止手段(9)を係脱自在に係止可能とする第二の被係止手段(10)を設けたシート片(11)を傘布の内側面に前記縫目を介して縫着し、結束用帯片(7)の係止手段(9)を第二の被係止手段(10)に係止することにより、該結束用帯片(7)を傘布の内側面に重ね合わせ状態で保持するように構成して成ることを特徴とする折畳み洋傘。
【考案の詳細な説明】
【技術分野】
【０００１】
本考案は、折畳み洋傘に係り、特に、閉傘時に傘布と骨組構造を巻回保持するための結束用帯片を設けた構成において、開傘時に該結束用帯片が傘布から垂れ下がることなく傘布の内側面に好適に保持されるように構成した折畳み洋傘に関する。
【背景技術】
【０００２】
従来、種々の形式の折畳み洋傘が提供されており、コンパクトな折畳み状態を可能にするため、中棒を伸縮自在に構成すると共に、親骨を屈折自在な基親骨及び先親骨により構成しており、閉傘時に、基親骨に対して先親骨を外側に折返した状態で、傘布と骨組構造を巻回保持するための結束用帯片を設けている。
【特許文献１】特開２００３−１８９９１７号公報
【考案の開示】
【考案が解決しようとする課題】
【０００３】
前述の結束用帯片は、閉傘後の洋傘を折畳んだ状態で巻回保持し、携帯を便利にする利点がある反面、開傘時には、傘布から垂れ下がり、邪魔になる等の問題がある。
【課題を解決するための手段】
【０００４】
本考案は、上記課題に鑑み、開傘時において結束用帯片を傘布の内側面に重ね合わせた状態で保持することができるようにした折畳み洋傘を提供するものである。
【０００５】
そこで、本考案が手段として構成したところは、相互に屈折自在に連結された基親骨と先親骨から成る親骨を上ロクロに対して放射状に枢結すると共に、下ロクロに枢結された受骨を基親骨に連結し、下ロクロの上昇により親骨を開傘せしめ、下ロクロの下降により親骨を閉傘せしめるように構成した骨組構造と、各親骨に沿って縫目を有する布片から成り親骨の上に張設された傘布とを備えており、前記傘布は、開傘時に下向きとなる内側面であって隣り合う先親骨の間に位置する周縁部に結束用帯片の基端を固着しており、閉傘時に基親骨に対して先親骨を外側に折返した状態で傘布と骨組構造を結束用帯片により巻回保持し、該結束用帯片の先端近傍部に設けた係止手段を該結束用帯片の基端近傍部に設けた被係止手段に係脱自在に係止するように構成した折畳み洋傘において、開傘時に結束用帯片の係止手段を係脱自在に係止可能とする第二の被係止手段を設けたシート片を傘布の内側面に前記縫目を介して縫着し、結束用帯片の係止手段を第二の被係止手段に係止することにより、該結束用帯片を傘布の内側面に重ね合わせ状態で保持するように構成して成る点にある。
【考案の効果】
【０００６】
従来では、開傘状態において、結束用帯片が傘布から垂れ下がり揺動するため、使用者の目障りになる等、邪魔であり、また、近隣の者からも視認されるため、見栄えが悪いのに対して、本考案によれば、結束用帯片を傘布の内側面に重ね合わせ状態で保持することができるので、使用者の邪魔にならず、しかも、近隣の者から視認されず見栄えが良いという効果がある。
【０００７】
しかも、本考案によれば、従来の結束用帯片が係止手段と被係止手段を備えていることに着目し、結束用帯片の係止手段をそのまま利用することにより、該係止手段を係脱自在に係止可能とする第二の被係止手段だけを追加的に設ける構成であるから、構造の複雑化やコスト高を招来することがなく、安価で容易に実施できるという効果がある。
【０００８】
更に、第二の被係止手段を設けるに際して、傘布の任意の個所に縫着する場合は、該縫着部分が傘布の外側面（表側面）から視認可能となるため、体裁が悪いのに対して、本考案によれば、第二の被係止手段を設けたシート片を傘布を構成する布片の縫目を利用して縫着できるので、外観が美麗となる。しかも、該シート片の縫着工程は、シート片の縫合による傘布の縫着工程と同時に行うことが可能になるので、製造工程におけるコスト高を招来することがないという効果がある。
【考案を実施するための最良の形態】
【０００９】
以下、上述した従来の折畳み洋傘の構成を図３及び図４に基づいて説明し、その後、本考案の好ましい実施形態を図１及び図２に基づいて説明する。
【００１０】
（従来技術）
図３に示すように、折畳み洋傘は、中棒１の上端部に固定された上ロクロ２と、該中棒１に摺動自在に外挿された下ロクロ３と、上ロクロ２に枢結された基端から放射状に延びる親骨４と、下ロクロ３に枢結された基端から放射状に延びる受骨５とから成る骨組構造と、親骨４の上に張設された傘布６とから構成されている。
【００１１】
中棒１は、尾端に手元１ｘを取付け、伸縮自在な多段式の分割棒から構成されている。図例の場合、３本の分割棒１ａ、１ｂ、１ｃを入れ子式に連結しているが、その分割数は問わない。
【００１２】
親骨４は、基端を上ロクロ２に枢結された基親骨４ａと、該基親骨４ａに対して屈折自在に連結された先親骨４ｂとから構成されており、受骨５の先端を基親骨４ａに枢結している。従って、骨組構造は、下ロクロ３の上昇により親骨４を開傘せしめ、下ロクロ３の下降により親骨４を閉傘せしめるように構成されている。尚、図例の場合、トップレス形式の骨組構造のため、基親骨４ａが更に分割され、連結骨（図示省略）により連結された構成のものを示しているが、このような構成に限定されるものではない。
【００１３】
傘布６は、各親骨４に沿って縫目（図示省略）を有するほぼ三角形状の布片６ａを縫合することにより構成されており、該縫目の部分において親骨４に糸（図示省略）を介して係着されている。また、傘布は、開傘時に下向きとなる内側面であって隣り合う先親骨４ｂ、４ｂの間に位置する周縁部６ｂに結束用帯片７の基端７ａを固着している。
【００１４】
図３（Ｂ）に示すように、結束用帯片７は、基端近傍の表面（開傘時に下向きとなる表面）に被係止手段８を設けると共に、先端近傍の裏面（表面の反対面）に係止手段９を設けている。係止手段９と被係止手段８は、相互に係脱自在に係止可能な手段であり、図例の場合、面ファスナーにより構成されているが、スナップ式ホックその他の手段により構成しても良い。
【００１５】
そこで、このような折畳み洋傘は、閉傘後、図４に示すように、コンパクトになるように折畳まれる。即ち、図４（Ａ）に示すように、中棒１を収縮し、基親骨４ａに対して先親骨４ｂを外側に折返し状に折曲すると共に、隣り合う先親骨４ｂ、４ｂの間で折曲重合された傘布６の周縁部６ｂを周方向の一方向に揃え、この状態で、外周に結束用帯片７を巻回せしめる。この際、結束用帯片７の基端部における被係止手段８が外向きに位置せしめられ、先端部における係止手段９が被係止手段８に対向せしめられるので、図４（Ｂ）に示すように係止手段９を被係止手段８に係止すれば、結束用帯片７により傘布と骨組構造が折畳み状態で保持される。
【００１６】
折畳み状態から洋傘を使用し開傘するには、係止手段９を被係止手段８から取外すことにより結束用帯片７を開放した後、先親骨４ｂを基親骨４ａに対して展開すると共に、中棒１を伸長せしめ、下ロクロ３を押し上げれば、図３に示すような開傘状態が得られる。この開傘状態において、結束用帯片７は、基端７ａから先端７ｂまでが傘布６の内側面から長く垂れ下がる。
【００１７】
（本考案の実施形態）
図１に示すように、本考案は、上記のような従来の折畳み洋傘の基本的構成を何ら変更することなく、第二の被係止手段１０を設けたシート片１１を付加することにより実施される。従って、基本的な構成は、図３及び図４に示した折畳み洋傘と同様であり、共通する構成部分は同一符号で示している。
【００１８】
前記シート片１１は、傘布６を構成する布片６ａの縫目を介して縫着されており、従って、縫着部分は先親骨４ｂにより隠れている。第二の被係止手段１０は、結束用帯片７の係止手段９を係脱自在に係止可能とするものであり、従って、被係止手段９と同様の構成とされている。例えば、結束用帯片７の係止手段９をホックの雄片により構成し、被係止手段８をホックの雌片により構成している場合、第二の被係止手段１０もホックの雌片により構成される。或いは、図例のように、結束用帯片７の係止手段９を面ファスナーのフックシートにより構成し、被係止手段８を面ファスナーのループシートにより構成している場合、第二の被係止手段１０も面ファスナーのループシートにより構成される。尚、面ファスナーの場合、ループシートが第二の被係止手段１０とシート片１１を一体に備えたものとなる。
【００１９】
そこで、本考案によれば、図２に示すように、開傘状態において、使用者は、結束用帯片７を指先で摘み、係止手段９を第二の被係止手段１０に係止すれば、結束用帯片７が傘布６の周縁部６ｂの内側面に重ね合わせ状態で保持され、周縁部６ｂから外側にはみ出すことはない。従って、従来のように結束用帯片７が垂れ下がることもない。尚、係止手段９と第二の被係止手段１０は、係脱自在であるから、洋傘を閉傘し、折畳む場合は、係止手段９を第二の被係止手段１０から取外すことにより、結束用帯片７を本来の結束のために使用することができる。
【図面の簡単な説明】
【００２０】
【図１】本考案の１実施形態に係る折畳み洋傘の要部を開傘状態にて示す斜視図である。
【図２】本考案の１実施形態に係る折畳み洋傘の全体を示す斜視図である。
【図３】従来の折畳み洋傘の開傘状態を示しており、（Ａ）は全体を示す斜視図、（Ｂ）は結束用帯片を示す斜視図である。
【図４】従来の折畳み洋傘の折畳み状態を示しており、（Ａ）は結束用帯紐を結束する前の状態を示す正面図、（Ｂ）は結束した状態を示す正面図である。
【符号の説明】
【００２１】
１    中棒
２    上ロクロ
３    下ロクロ
４    親骨
４ａ  基親骨
４ｂ  先親骨
５    受骨
６    傘布
６ａ  布片
６ｂ  周縁部
７    結束用帯片
７ａ  基端
７ｂ  先端
８    被係止手段
９    係止手段
１０    第二の被係止手段
１１    シート片
【図１】
0003101406.tif 000003
【図２】
0003101406.tif 000004
【図３】
0003101406.tif 000005
【図４】
0003101406.tif 000006